(57)【要約】【目的】従来の技術では、テロ対策を施したゴミ箱を低価格に導入したり、また、場所を問わずに配置することが困難であったが、センサーネットワークを利用することにより、ゴミ箱のテロ対策を可能にする。【構成】公共施設に設置され、不特定多数の人が接触できるゴミ箱の中に危険物を挿入する事によるテロへの利用を未然に阻止するために、管理者によってテープ等により投入口を封印され、利用不可の状態になっているゴミ箱に関して、センサー部と、記憶部と、演算部と、異常通知部と、管理部とからなる、ゴミ箱管理システムとする。【選択図】図１
2009249118.tif 000002
【特許請求の範囲】
【請求項１】
公共施設に設置され、不特定多数の人が接触できるゴミ箱の中に危険物を挿入する事によるテロへの利用を未然に阻止するために、管理者によってテープ等により投入口を封印され、利用不可の状態になっているゴミ箱に関して、
ゴミ箱の蓋下部に設置しゴミ箱内の物体を一定間隔で検知するセンサー部と、
前記センサーの検知結果を蓄積する記憶部と、
前記記憶部に記憶された過去の検知結果と現在の検知結果との差分を計算する演算部と、
前記演算部が差異を識別した際にゴミ箱内に異物を不法投棄したと判断し無線によって通知する異常通知部と、
前記異常通知部からの情報を一括管理する管理部と、
からなる、ゴミ箱管理システム。
【請求項２】
前記センサー部は、暗所でも情報を得ることができる振動センサーとし、能動的にゴミ箱内で振動を発生させて振動波を測定する振動センサーであり、あるいは、ゴミ箱周辺で発生している振動を利用してゴミ箱内の振動波を測定する振動センサーであることを特徴とする請求項１に記載のゴミ箱管理システム。
【請求項３】
前記ゴミ箱は、無線通信を中継する中継部を有することによって、複数の筐体が相互に自律分散型ネットワークを構成することを特徴とする請求項１に記載のゴミ箱管理システム。
【発明の詳細な説明】
【技術分野】
【０００１】
本発明は、例えば駅構内に設置されるゴミ箱に関するものであって、管理人がゴミ箱の蓋を閉めるなどの利用不許可状態にしている間の危険物投棄を監視するものである。
【背景技術】
【０００２】
２００４年３月に発生したスペイン列車テロ以降、駅構内のゴミ箱については、不審物に対する警戒強化等テロ対策の観点から、一部の駅では全面撤去がなされており、また、その他の駅についても、乗客の利便性を考えて必要最小限の設置数となっている。
【０００３】
撤去したゴミ箱に関して、その再配置については鉄道各社に一任されており、一部ではゴミ箱に捨てられたものを外から見ることのできる透明箱に置き換えたり、また、ゴミ箱内で危険物が爆発しても、外に爆発物が飛散しないような強固な箱に置き換えたりするなどの動きがある。
【０００４】
一方で、セキュリティ意識の高まりと共に、監視カメラを使った監視手段が注目されている。例えば撮影画面内で標的が動いた時のみ画像の撮影を行う手段などがあり、記録媒体の利用の効率化、最適化が計られている（例えば特許文献１を参照）。
【０００５】
【特許文献１】特開２００３−３４８５６９号公報
【発明の開示】
【発明が解決しようとする課題】
【０００６】
前記のように、ゴミ箱をテロに利用されるのを防ぐ事を目的として箱の透明化が為されているが、透明にしただけでは他のゴミに包まれるように投入された危険物を識別するのが困難である。また、中身が見えるゴミ箱の設置は、景観上において問題がある。
【０００７】
また、前記のように、危険物の爆発に耐えうる強固なゴミ箱への置き換えに関しては、例えば１個数百万円のゴミ箱が製品化されているが、費用の問題から、これを大量に設置することは非現実的である。
【０００８】
また、前記のように、監視カメラの設置については、プライバシーの問題や、柱の影などに設置されやすいゴミ箱の設置場所の特性などによって、機能しにくい実情がある。
【０００９】
前記したように、従来の技術では、テロ対策を施したゴミ箱を低価格に導入したり、また、場所を問わずに配置することが困難であった。
【課題を解決するための手段】
【００１０】
前記課題を解決するために、本発明は、
公共施設に設置され、不特定多数の人が接触できるゴミ箱の中に危険物を挿入する事によるテロへの利用を未然に阻止するために、管理者によってテープ等により投入口を封印され、利用不可の状態になっているゴミ箱に関して、
ゴミ箱の蓋下部に設置しゴミ箱内の物体を一定間隔で検知するセンサー部と、
前記センサーの検知結果を蓄積する記憶部と、
前記記憶部に記憶された過去の検知結果と現在の検知結果との差分を計算する演算部と、
前記演算部が差異を識別した際にゴミ箱内に異物を不法投棄したと判断し無線によって通知する異常通知部と、
前記異常通知部からの情報を一括管理する管理部と、
からなる、ゴミ箱管理システムとする。
【００１１】
また、本発明は、前記センサー部は、暗所でも情報を得ることができる振動センサーとし、能動的にゴミ箱内で振動を発生させて振動波を測定する振動センサーであり、あるいは、ゴミ箱周辺で発生している振動を利用してゴミ箱内の振動波を測定する振動センサーであることを特徴とするゴミ箱管理システムとする。
【００１２】
また、本発明は、前記ゴミ箱は、無線通信を中継する中継部を有することによって、複数の筐体が相互に自律分散型ネットワークを構成することを特徴とするゴミ箱管理システムとする。
【発明の効果】
【００１３】
本発明によれば、公共施設に設置され、不特定多数の人が接触できるゴミ箱の中に危険物を挿入する事によるテロへの利用を未然に阻止するために、管理者によってテープ等により投入口を封印され、利用不可の状態になっているゴミ箱に関して、何者かが投入口の封印を強制的に解き、危険物を挿入した場合に、センサーによってゴミ箱内の状況が変わった事を検知し、ゴミ箱間の自律分散型無線ネットワークによって管理者に通知することが可能となる。
【実施例】
【００１４】
本発明の好適な実施例に関して、図を参照して説明する。
【００１５】
図１は本発明にかかるゴミ箱管理システムの構成図である。あるゴミ箱Ａに関して、ゴミ箱Ａ内の状態を一定間隔毎に監視するセンサー部１０１は、その検知結果を記憶部１０３と演算部１０５に出力する。記憶部１０３は過去の検知結果を保持しており、前回の検知結果を演算部１０５に出力する。
【００１６】
センサー部１０１は例えば超音波センサーや赤外線センサーのように、画像情報としてゴミ箱Ａ内を映写する場合のみならず、例えばゴミ箱Ａを一定間隔毎に振動させ、その振動波を検知する手段や、投棄される物体がセンサー前方を横切る時の物体の落下速度を検知する手段など、種々のものが考えられるが、本実施例では超音波センサーによる検知手段に関して説明する。
【００１７】
前述したように、演算部１０５には、センサー部１０１が検知した最新のセンサー画像Ｐと、記憶部１０３が伝達する１時刻前のセンサー画像Ｑが入力される。
【００１８】
演算部１０５はＰとＱを比較演算し、結果を異常通知部１０７に伝達する。比較した結果が相違無しであった場合には異常通知部１０７は処理を停止するが、比較した結果、相違が認められた場合は、異常通知部１０７は無線ネットワーク１１１にゴミ箱Ａの識別ＩＤ情報を付加して通報信号を送信する。
【００１９】
一般にゴミ箱は柱の影などに設置される場合が多く、無線信号の伝搬特性から信号が伝達されない場合が考えられるため、基地局を中心とした無線ネットワークには適さない。従って、最も近いゴミ箱の通信装置を介してさらに先に存在するゴミ箱へ情報伝達するという、自律分散型無線ネットワーク（無線アドホックネットワーク）の形態が適している。
【００２０】
従って、ゴミ箱Ａが送信した情報は、例えばゴミ箱Ｂの中継部１１３を介して、さらに先に存在するゴミ箱へと情報伝達を行う。同様にゴミ箱Ｂが発した異常信号をゴミ箱Ａの中継器が中継する場合もある。
【００２１】
複数のゴミ箱を管理する管理部１０９は、前記無線ネットワーク１１１にアクセスし、異常信号を発しているゴミ箱が発見された場合には、付加されている前記識別ＩＤにより、該ゴミ箱を特定する。
【００２２】
図２は前記センサーの取り付け位置の一例である。例では蓋部２０１下に超音波センサー２０５を取り付けることによって、ゴミ箱２０３内の全景を得ることを目的としている。なお、超音波センサー２０５は、筐体内に記憶部１０３、演算部１０５、異常通知部１０７、中継部１１３を含んでいてもよいし、別筐体であってもかまわない。
【００２３】
図３は封印されたゴミ箱に不法に異物を投棄された場合の、センサー画像の一例である。異物が投棄される前のセンサー画像が３０１、異物３０５を投棄された後のセンサー画像が３０３である。
【００２４】
演算部１０５は画像３０１と画像３０３を比較し、差異があると判断した場合に、無線ネットワークを介して管理部に通報する。
【００２５】
前記したように、本発明は、センサー部１０１、記憶部１０３、演算部１０５、異常通知部１０７、中継部１１３の設置に関して、それぞれを一つの筐体内に収めてもよいし、また、例えばセンサー部１０１のみをゴミ箱内に設置し、その他の部位をゴミ箱外に設置する場合も含める。
【００２６】
また、前記したように、本発明は、センサー部１０１として超音波センサーを用いた場合のみならず、赤外線センサーなど他の撮影手段を用いるセンサーであってもよい。さらに、ゴミ箱を一定間隔で振動させて、その振動波を測定するなど、種々のセンサー手段もあり、本発明はその手段に関して特定するものではない。
【００２７】
図４はその一例として振動センサーを用いた場合に関するものである。同図では一例として、ゴミ箱の蓋部４０１下に振動センサー４０５を設置し、ゴミ箱４０１および４０３を伝搬する振動波４０７を検知するものである。
【００２８】
振動源は振動センサー４０５に隣接して設置してもよいし、またゴミ箱周辺の環境によって自然発生する振動を利用してもよい。この手法を用いると、密封されたゴミ箱内に異物を不法投棄された場合に、ゴミ箱内が空である場合と振動波４０７に差異を生じることを利用して警告信号を発生させることができる。
【図面の簡単な説明】
【００２９】
【図１】本発明にかかる構成図
【図２】実施形態の一例
【図３】異物検知の一例
【図４】振動波センサーを用いた実施形態の一例
【符号の説明】
【００３０】
１０１…センサー部、  １０３…記憶部、  １０５…演算部、
１０７…異常通知部、  １０９…管理部、  １１１…無線ネットワーク、
１１３…中継部、
２０１，４０１…ゴミ箱蓋部、  ２０３，４０３…ゴミ箱本体部、
２０５，４０５…センサー部、
３０１…記憶部に蓄積されている検知結果、
３０３…最新の検知結果、
３０５…ゴミ箱に挿入された異物、
４０７…振動波。
【図１】
2009249118.tif 000003
【図２】
2009249118.tif 000004
【図３】
2009249118.tif 000005
【図４】
2009249118.tif 000006